(57)【要約】      （修正有） 【課題】複数の電力線の上下不均一分布によってタッチ操作の感度及び検知精度を高めるタッチパネルを提供する。【解決手段】タッチパネル３１は、スクリーンと、基板と、スクリーンと基板との間に配置され、スクリーンに隣接する第一表面３１１１１及び基板に隣接する第二表面３１１１２を有し、第一表面３１１１１の寸法は第二表面３１１１２の寸法より大きくなる伝送・受信ユニットとを含む。【選択図】図３
0003196589.tif 000002
【実用新案登録請求の範囲】
【請求項１】
センサーを含むタッチパネルであって、
前記センサーは、
第一表面と第二表面を有する発射器と、
第三表面と第四表面を有する受信器と、を含み、
前記センサーが動作する時に、前記発射器から前記受信器との間に複数の電力線を生じ、
前記タッチパネルはタッチ操作側及びタッチ操作側に対する他方の側部を有し、
前記第一ないし第四表面はそれぞれ第一幅、第二幅、第三幅及び第四幅を有し、
前記第二幅は前記第一幅より小さくなり、
前記第四幅は前記第三幅より小さくなり、
前記第一表面と前記第三表面はそれぞれ前記タッチ操作側に近接し、前記第二表面と前記第四表面はそれぞれ前記他方の側部に近接することによって、前記第一表面と前記第三表面に伸びて形成した平面より上にあり、かつ前記タッチ操作側に面する前記複数の電力線は、前記平面より下にあり、かつ前記他方の側部に面する前記複数の電力線より密度が高くなるようにすることを特徴とするタッチパネル。
【請求項２】
前記発射器はさらに第一側面と第二側面を含み、
前記受信器はさらに第三側面と第四側面を含み、
前記第一表面、前記第二表面、前記第一側面及び前記第二側面の第一縦断面と、前記第三表面、前記第四表面、前記第三側面及び前記第四側面の第二縦断面とも梯形となり、かつ前記第二幅と前記第四幅が極小値に近づく場合、前記第一縦断面と前記第二縦断面は三角形と近似していることを特徴とする請求項１に記載のタッチパネル。
【請求項３】
前記発射器さらに第一側面と第二側面を含み、
前記受信器はさらに第三側面と第四側面を含み、
前記第一ないし第四側面は平面または曲面となり、
前記第一ないし第四側面は、外に突出している円弧面であり、前記第二幅と第四幅が極小値に近づく場合、前記第一表面、前記第二表面、前記第一側面及び前記第二側面の第一縦断面と、前記第三表面、前記第四表面、前記第三側面及び前記第四側面の第二縦断面は半円形となることを特徴とする請求項１に記載のタッチパネル。
【請求項４】
タッチ操作側と前記タッチ操作側に対する他方の側部とを有するスクリーンと、
第一表面と第二表面を有し、複数の電力線を生成する発射器とを含むセンサーと、を含み、
前記第一表面と前記第二表面はそれぞれ第一幅と第二幅を有し、
前記第二幅は前記第一幅より小さくなり、
前記第一表面が前記タッチ操作側に近接し、前記第二表面が前記他方の側部に近接することによって、前記第一表面に伸びて形成した平面より上にあり、かつ前記タッチ操作側に面する前記複数の電力線は、前記平面より下にあり、かつ前記他方の側部に面する前記複数の電力線より密度が高くなるようにすることを特徴とするタッチパネル。
【請求項５】
前記センサーはさらに第三表面と第四表面を有する受信器を含み、
前記第三表面と第四表面はそれぞれ第三幅と第四幅を有し、
前記第四幅が前記第三幅より小さくなることによって、前記受信器が受信する前記複数の電力線は前記第一表面と前記第三表面に延びて形成した平面の上にあり、かつ前記タッチ操作側に面する部分は、前記平面より下にあり、かつ前記他方の側部に面する部分より密度が高くなるようにすることを特徴とする請求項４に記載のタッチパネル。
【請求項６】
スクリーンと、
基板と、
前記スクリーンと前記基板との間に配置され、前記スクリーンに隣接する第一表面及び前記基板に隣接する第二表面を有し、前記第一表面の寸法は前記第二表面の寸法より大きくなる伝送・受信ユニットとを含むことを特徴とするタッチパネル。
【請求項７】
スクリーンと、
基板と、
伝送・受信ユニットであって、前記スクリーンと前記基板との間に配置され、前記スクリーンに隣接する第一表面及び前記基板に隣接する第二表面とを有し、前記伝送・受信ユニットが生成した電力線は前記第一表面に伸びて形成した平面より上にあり、且つタッチ操作側に面する部分は、前記平面より下にあり、かつ他方の側部に面する部分より密度が高くなるように構成される、伝送・受信ユニットとを含むことを特徴とするタッチパネル。
【考案の詳細な説明】
【技術分野】
【０００１】
関連出願と優先権主張の相互参照
本出願は、台湾経済部智慧財産局での２０１４年３月１１日に出願された実用新案出願第１０３２０４１２８号に基づく利益を主張し、当該実用新案出願の開示は、参照によって本明細書に組み込まれる。
【０００２】
本考案はタッチパネルに関し、特に液晶表示装置に用いられ、不均一分布の電力線を有するタッチパネルに関する。
【背景技術】
【０００３】
液晶表示装置（ＬＣＤ）の使用は日々普及が進んでおり、現在投影型静電容量方式のタッチパネルは二枚薄膜のＧＦＦタイプ（glass-film-film）構造及び一枚ガラスのＯＧＳタイプ（one glass solution）構造など多種で異なる構造を有している。図１は従来のＯＧＳタイプ構造の投影型静電容量方式のタッチパネル（ＬＣＤを含む）構造を示す概略図である。図１に示す液晶表示装置（ＬＣＤ）１は、ＯＧＳタイプ構造のタッチパネル１１及びLCD基板(substrate)１２を含み、タッチパネル１１はさらに保護ガラス(cover glass，以下はＣＧと略称)１１１、光学接着剤(optically clear adhesive，以下はＯＣＡと略称)１１２及び検知電極層/駆動電極層(Ｒｘ/Ｔｘ ＩＴＯ)１１３を含み、ＬＣＤ基板１２はカラー表示ユニット(Color Display Unit)である。
【０００４】
図２は従来のＯＧＳ構造の投影型静電容量方式のタッチパネル構造を示す概略図である。図２に示すように、前記ＯＧＳ構造のタッチパネル２１はＣＧ１１１、複数のＯＣＡ１１２、複数の従来のセンサー２１１と飛散防止膜（以下はＡＳＦと略称）２１２を含み、センサー２１１のそれぞれは従来の発射器(transmitter，Ｔｘ)２１１１及び受信器(receiver，Ｒｘ)２１１２を含む。図２の発射器２１１１のそれぞれと受信器２１１２のそれぞれは上下一致したサイズを有し、かつ発射器２１１１のそれぞれ及びそれらと対応する受信器２１１２のそれぞれとの間に上下平均的に分布している複数の電力線(lines of electric force)を有する仕組みを用いて、指の接触で電力線の分布を変えることによってタッチ操作の発生位置を検知する。
【考案の概要】
【考案が解決しようとする課題】
【０００５】
そのため、如何に従来技術を改善し、複数の電力線上下分布が均一にならないようにしてタッチ感度の向上とタッチ検知精度の増加を図ることは重要な課題となる。
【０００６】
従って、本案の考案者は従来技術の欠点を鑑みて改良の意欲が生じ、本考案の「不均一分布の電力線を有するタッチパネル」を考案した。
【課題を解決するための手段】
【０００７】
本考案の主な目的は、不均一分布の電力線を有するタッチパネルを提供することであって、前記タッチパネルはセンサーを含み、前記センサーはタッチ操作側と平行し、より広い第一表面及びより狭い第二表面を有する発射器と、前記タッチ操作側と平行し、より広い第三表面及びより狭い第四表面を有する受信器とを含み、このような構成によって前記第一表面及び前記第三表面に形成した平面より上にあり、かつタッチ操作側に面する複数の電力線が、前記平面より下にあり、タッチ操作側の他方の側部に面する複数の電力線より密度が高くなることによって、タッチ操作感度の向上及びタッチ操作の検知度の増加をもたらす。
【０００８】
本考案のもう一つの目的は特定のタッチパネルを提供することである。前記タッチパネルは、センサーを含み、前記センサーは、第一表面と第二表面を有する発射器と、第三表面と第四表面を有する受信器とを含み、前記センサーが動作する時に、前記発射器から前記受信器の間に複数の電力線があり、前記タッチパネルはタッチ操作側と前記タッチ操作側と対向する他方の側部他方の側部を有し、前記第一ないし第四表面はそれぞれ第一幅、第二幅、第三幅及び第四幅を有し、前記第二幅は前記第一幅より小さくなり、前記第四幅は前記第三幅より小さく、前記第一表面は前記第三表面はそれぞれ前記タッチ操作側に近接し、前記第二表面と前記第四表面はそれぞれ前記他方の側部に近接することによって、前記第一表面と前記第三表面に伸びて形成した平面より上にあり、かつ前記タッチ操作側に面する前記複数の電力線は、前記平面より下にあり、かつ前記他方の側部に面する前記複数の電力線より密度が高くなるようにする。
【０００９】
本考案のもう一つ別の主な目的は別の特定のタッチパネルを提供することであって、前記タッチパネルは、スクリーン、タッチ操作側、前記タッチ操作側と対向する他方の側部、センサーを有し、前記センサーは、第一表面と第二表面を有して複数の電力線を生成する発射器を有し、前記第一表面と前記第二表面はそれぞれ第一幅と第二幅を有し、前記第二幅は前記第一幅より小さくなり、前記第一表面は前記タッチ操作側に近接し、前記第二表面は前記他方の側部に近接し、この仕組みによって、前記第一表面に伸びて形成した平面の上にあり、かつタッチ操作側に面する前記複数の電力線は、前記平面の下にあり、かつ他方の側部に面する前記複数の電力線より密度が高くなるようにする。
【００１０】
本考案のもう一つまた別の主な目的はまた別の特定のタッチパネルを提供することであって、前記タッチパネルは、スクリーン、基板、伝送・受信ユニットを含み、前記伝送・受信ユニットは前記スクリーンと前記基板との間に配置され、前記スクリーンと隣接する第一表面及び前記基板と隣接する第二表面を有し、前記第一表面の寸法は前記第二表面の寸法より大きくなる。
【００１１】
本考案のもう一つのさらに別の主な目的はさらに別の特定のタッチパネルを提供することであって、前記タッチパネルは、スクリーン、基板、伝送・受信ユニットを含み、前記伝送・受信ユニットは前記スクリーンと前記基板との間に配置され、前記スクリーンと隣接する第一表面及び前記基板と隣接する第二表面を有し、前記伝送・受信ユニットが生成した電力線は前記第一表面に伸びて形成した平面より上にあり、且つタッチ操作側に面する部分は、前記平面より下にあり、かつ他方の側部に面する部分より密度が高くなるように構成される。
【図面の簡単な説明】
【００１２】
本考案の上記目的、特徴及び長所をもっと分かりやすくするために、下記は望ましい実施例を挙げ、添付の図面に合わせて詳しく説明する。
【図１】従来のＯＧＳタイプ構造の投影型静電容量式タッチパネル（ＬＣＤを含む）構造を示す概略図である。
【図２】従来のＯＧＳタイプ構造の投影型静電容量式タッチパネル構造を示す概略図である。
【図３】本考案構造の第一の望ましい実施例であるＯＧＳタイプ構造を有する投影型静電容量式タッチパネル構造を示す概略図である。
【図４】本考案構造の第二の望ましい実施例であるＯＧＳタイプ構造を有する投影型静電容量式タッチパネル構造を示す概略図である。
【図５】本考案構造の第三の望ましい実施例であるＯＧＳタイプ構造を有する投影型静電容量式タッチパネル構造を示す概略図である。
【考案を実施するための形態】
【００１３】
本考案はセンサーの形状を変更して電力線を不均一分布にアレンジすることによって、電力線がタッチパネルのタッチ操作側に傾くようにし、タッチ感度及びタッチ操作の最小検出精度を向上させる。また、本考案のメリットは鉛筆のような小さい物体も検知できることである。タッチ操作側に垂直方向に検知し、上方が広く、下方が狭いセンサーで、または下記望ましい実施例に類似するものであれば本案の請求範囲に属する。本案は著しいパフォーマンス及び優れた感度によってタッチ検知機能を果たし、従来技術を凌駕する。
【００１４】
図３は本考案構想による第一の望ましい実施例であるＯＧＳタイプ構造を有する投影型のタッチパネル構造を示す概略図である。図３に示すように、前記ＯＧＳタイプ構造を有するタッチパネル３１はＣＧ（スクリーン）１１１、複数のＯＣＡ１１２、複数の本考案の望ましいセンサー（伝送・受信ユニット）３１１、ＡＳＦ２１２、タッチ操作側３１２及び他方の側部３１３を有し、センサー３１１のそれぞれは本考案の第一の望ましい実施例の発射器３１１１及び本考案の第一の望ましい実施例の受信器３１１２を含む。
【００１５】
図３において、発射器３１１１のそれぞれがタッチ操作側３１２に近接する本考案の第一の望ましい実施例の第一表面３１１１１と、他方の側部３１３に近接する本考案の第一の望ましい実施例の第二表面３１１１２とを有し、前記第一表面３１１１１の第一幅は第二表面３１１１２の第二幅より大きくなり、受信器３１１２のそれぞれはタッチ操作側３１２に接近する本考案の第一の望ましい実施例の第三表面３１１２１と、他方の側部３１３に接近する本考案の第一の望ましい実施例の第四表面３１１２２とを有し、前記第三表面３１１２１の第三幅は第四表面３１１２２の第四幅より大きくなる。発射器３１１１のそれぞれは第一表面３１１１１と第二表面３１１１２との間の左右両側に、それぞれ第一側面と第二側面を有し、受信器３１１２のそれぞれは第三表面３１１２１と第四表面３１１２２との間の左右両側に、それぞれ第三側面と第四側面を有し、第一表面３１１１１、第二表面３１１１２、前記第一側面及び前記第二側面の第一縦断面と、第三表面３１１２１、第四表面３１１２２、前記第三側面及び前記第四側面の第二縦断面とも梯形となっている。
【００１６】
図３は、発射器３１１１のそれぞれ及びそれらと対応する受信器３１１２のそれぞれとの間に、第一表面３１１１１のそれぞれとそれらと対応する第三表面３１１２１との間に形成した平面より上にあり、かつタッチ操作側に面する複数の電力線は、前記平面より下にあり、かつ他方の側部に面する複数の電力線より密度が高くなっており、この仕組みによって指または物体（例えばタッチペン）の接触で電力線の分布を変更させ、より鋭くタッチ位置を検知することを果たす。
【００１７】
図４は、本考案の第二望ましい実施例であるＯＧＳタイプ構造を有する投影型静電容量式タッチパネル構造を示す概略図である。図４に示すように、本考案の第二の望ましい実施例のタッチパネル４１はＣＧ（スクリーン）１１１、複数のＯＣＡ１１２、複数の本考案の第二の望ましい実施例のセンサー４１１、ＡＳＦ２１２、タッチ操作側３１２と他方の側部３１３を含み、センサー４１１のそれぞれは本考案の第二の望ましい実施例の発射器４１１１と本考案の第二の望ましい実施例の受信器４１１２を含む。
【００１８】
図４において、発射器４１１１のそれぞれはタッチ操作側３１２に接近する本考案の第二の望ましい実施例の第一表面４１１１１と、他方の側部３１３に接近する本考案の第二の望ましい実施例の第二表面４１１１２とを有し、第一表面４１１１１の第一幅は第二表面４１１１２の第二幅より大きくなり、受信器４１１２のそれぞれはタッチ操作側３１２に接近する本考案の第二の望ましい実施例の第三表面４１１２１と、他方の側部３１３に接近する本考案の第二の望ましい実施例の第四表面４１１２２とを有し、第三表面４１１２１の第三幅は、第四表面４１１２２の第四幅より大きくなる。発射器４１１１のそれぞれが第一表面４１１１１及び第二表面４１１１２との間の左右両側にはそれぞれ第一側面及び第二側面を有し、受信器４１１２のそれぞれは前記第三表面４１１２１及び第四表面４１１２２との間の左右両側にそれぞれ第三側面と第四側面を有し、第一表面４１１１１、第二表面４１１１２、前記第一側面及び前記第二側面の第一縦断面と、第三表面４１１２１、第四表面４１１２２、前記第三側面及び前記第四側面の第二縦断面とも半円形となる。
【００１９】
図４において、発射器４１１１のそれぞれと、それらと対応する受信器４１１２のそれぞれとの間に、第一表面４１１１１のそれぞれと、それらと対応する第三表面４１１２１のそれぞれに形成した平面の上にあり、かつタッチ操作側に面する複数の電力線は、前記平面より下にあり、かつ他方の側部に面する複数の電力線より密度が高くなり、この仕組みによって指または物体（例えばタッチペン）の接触によって電力線の分布を変え、より鋭くタッチ位置を検知することを果たす。
【００２０】
図５は本考案構想による第三の望ましい実施例であるＯＧＳタイプ構造を有する投影型静電容量式タッチパネル構造を示す概略図である。図５に示すように、本考案構想の第三望ましい実施例のタッチパネル５１はＣＧ（スクリーン）１１１、複数のＯＣＡ１１２、複数の本考案構想の第三望ましい実施例のセンサー５１１、ＡＳＦ２１２、タッチ操作側３１２と他方の側部３１３を有し、センサー５１１のそれぞれは本考案構想の第三望ましい実施例の発射器５１１１と本考案構想の第三望ましい実施例の受信器５１１２を含む。
【００２１】
図５において、発射器５１１１のそれぞれはタッチ操作側３１２に接近している本考案構想の第三の望ましい実施例である第一表面５１１１１と、他方の側部３１３に接近している本考案構想の第三の望ましい実施例である第二表面５１１１２とを有し、第一表面５１１１１の第一幅は第二表面５１１１２の第二幅より大きくなり、受信器５１１２のそれぞれはタッチ操作側３１２に近接する本考案構想の第三の望ましい実施例の第三表面５１１２１と、他方の側部３１３に近接する本考案構想の第三のの望ましい実施例の第四表面５１１２２を有し、第三表面５１１２１の第三幅は第四表面の第四幅より大きくなる。発射器５１１１のそれぞれが第一表面５１１１１と第二表面５１１１２との間の左右両側にそれぞれ第一側面と第二側面を有し、受信器５１１２のそれぞれが第三表面５１１２１と第四表面５１１２２との間の左右両側にそれぞれ第三側面と第四側面を有し、第一表面５１１１１、第二表面５１１１２、前記第一側面及び前記第二側面の第一縦断面と、第三表面５１１２１、第四表面５１１２２、前記第三側面及び前記第四側面の第二縦断面とも三角形となる。
【００２２】
図５において、発射器５１１１のそれぞれと、それらと対応する受信器５１１２との間に、第一表面５１１１１のそれぞれと、それらと対応する第三表面５１１２１に形成した平面の上にあり、かつタッチ操作側に面する複数の電力線は、前記平面の下にあり、他方の側部に面する複数の電力線より密度が高くなり、この仕組みによって指または物体（例えばタッチペン）の接触によって電力線の分布を変え、より鋭くタッチ位置を検知することを果たす。
【実施例１】
【００２３】
センサーを含みタッチパネルであって、前記センサーは、第一表面と第二表面を有する発射器と、第三表面と第四表面を有する受信器と、を含み、前記センサーが動作する時に、前記発射器から前記受信器との間に複数の電力線を有し、前記タッチパネルはタッチ操作側及びタッチ操作側に対する他方の側部を有し、前記第一ないし第四表面はそれぞれ第一幅、第二幅、第三幅及び第四幅を有し、前記第二幅は前記第一幅より小さくなり、前記第四幅は前記第三幅より小さくなり、前記第一表面と前記第三表面はそれぞれ前記タッチ操作側に近接し、前記第二表面と前記第四表面はそれぞれ前記他方の側部に近接することによって、前記第一表面と前記第三表面に伸びて形成した平面より上にあり、かつ前記タッチ操作側に面する前記複数の電力線は、前記平面より下にあり、かつ前記他方の側部に面する前記複数の電力線より密度が高くなるようにすることを特徴とするタッチパネル。
【実施例２】
【００２４】
前記発射器はさらに第一側面と第二側面を含み、前記受信器はさらに第三側面と第四側面を含み、前記第一表面、前記第二表面、前記第一側面及び前記第二側面の第一縦断面と、前記第三表面、前記第四表面、前記第三側面及び前記第四側面の第二縦断面とも梯形となり、かつ前記第二幅と前記第四幅が極小値に近づく場合、前記第一縦断面と前記第二縦断面は三角形と近似していることを特徴とする実施例１に記載のタッチパネル。
【実施例３】
【００２５】
前記発射器さらに第一側面と第二側面を含み、前記受信器はさらに第三側面と第四側面を含み、前記第一ないし第四側面は平面または曲面となり、前記第一ないし第四側面は、外に突出している円弧面であり、前記第二幅と第四幅が極小値に近づく場合、前記第一表面、前記第二表面、前記第一側面及び前記第二側面の第一縦断面と、前記第三表面、前記第四表面、前記第三側面及び前記第四側面の第二縦断面は半円形となることを特徴とする実施例１に記載のタッチパネル。
【実施例４】
【００２６】
タッチ操作側と前記タッチ操作側に対する他方の側部とを有するスクリーンと、第一表面と第二表面を有し、複数の電力線を生成する発射器とを含むセンサーと、を含み、前記第一表面と前記第二表面はそれぞれ第一幅と第二幅を有し、前記第二幅は前記第一幅より小さくなり、
前記第一表面が前記タッチ操作側に近接し、前記第二表面が前記他方の側部に近接することによって、前記第一表面に伸びて形成した平面より上にあり、かつ前記タッチ操作側に面する前記複数の電力線は、前記平面より下にあり、かつ前記他方の側部に面する前記複数の電力線より密度が高くなるようにすることを特徴とするタッチパネル。
【実施例５】
【００２７】
前記センサーはさらに第三表面と第四表面を有する受信器を含み、前記第三表面と第四表面はそれぞれ第三幅と第四幅を有し、前記第四幅が前記第三幅より小さくなることによって、前記受信器が受信する前記複数の電力線は前記第一表面と前記第三表面に延びて形成した平面の上にあり、かつ前記タッチ操作側に面する部分は、前記平面より下にあり、かつ前記他方の側部に面する部分より密度が高くなるようにすることを特徴とする実施例４に記載のタッチパネル。
【実施例６】
【００２８】
スクリーンと、基板と、前記スクリーンと前記基板との間に配置され、前記スクリーンに隣接する第一表面及び前記基板に隣接する第二表面を有し、前記第一表面の寸法は前記第二表面の寸法より大きくなる伝送・受信ユニットとを含むことを特徴とするタッチパネル。
【実施例７】
【００２９】
スクリーンと、基板と、伝送・受信ユニットであって、前記スクリーンと前記基板との間に配置され、前記スクリーンに隣接する第一表面及び前記基板に隣接する第二表面とを有し、前記伝送・受信ユニットが生成した電力線は前記第一表面に伸びて形成した平面より上にあり、且つタッチ操作側に面する部分は、前記平面より下にあり、かつ他方の側部に面する部分より密度が高くなるように構成される、伝送・受信ユニットとを含むことを特徴とするタッチパネル。
【００３０】
当業者が本案の上記実施例に述べている内容の旨を用いてある程度の修正、変更、置き換えなどはすべて本案の請求権利範囲に属する。
【産業上の利用可能性】
【００３１】
上記内容を踏まえ、本考案は不均一分布の電力線を有するタッチパネルを提供している。前記タッチパネルはセンサーを含み、前記センサーはタッチ操作側に平行し、より広い第一表面と、より狭い第二表面を有する発射器と、前記タッチ操作側に平行し、より広い第三表面と、より狭い第四表面を有する受信器とを有し、この仕組みによって前記第一表面と前記第三表面に形成した平面の上にあり、かつタッチ操作側に面する複数の電力線は、前記平面の下にあり、他方の側部に面する複数の電力線より密度が高くなり、この仕組みによってタッチ感度及びタッチ検知度を上げると云う効果を奏する。
【符号の説明】
【００３２】
１        液晶表示装置
１１      ＯＧＳタイプ構造のタッチパネル
１１１    保護ガラス（ＣＧ）
１１２    光学接着剤（ＯＣＡ）
１１３    検知電極層/ 駆動電極層
１２      液晶表示装置基板
２１      ＯＧＳタイプ構造のタッチパネル
２１１    従来のセンサー
２１１１  従来の発射器
２１１２  従来の受信器
２１２    飛散防止膜（ＡＳＦ）
３１      本考案の第一の望ましい実施例のタッチパネル
３１１    本考案の第一の望ましい実施例のセンサー
３１１１  本考案の第一の望ましい実施例の発射器
３１１１１本考案の第一の望ましい実施例の第一表面
３１１１２本考案の第一の望ましい実施例の第二表面
３１１２  本考案の第一の望ましい実施例の受信器
３１１２１本考案の第一の望ましい実施例の第三表面
３１１２２本考案の第一の望ましい実施例の第四表面
３１２    タッチ操作側
３１３    他方の側部
４１      本考案の第二の望ましい実施例のタッチパネル
４１１    本考案の第二の望ましい実施例のセンサー
４１１１  本考案の第二の望ましい実施例の発射器
４１１１１本考案の第二の望ましい実施例の第一表面
４１１１２本考案の第二の望ましい実施例の第二表面
４１１２  本考案の第二の望ましい実施例の受信器
４１１２１本考案の第二の望ましい実施例の第三表面
４１１２２本考案の第二の望ましい実施例の第四表面
５１      本考案の第三の望ましい実施例のタッチパネル
５１１    本考案の第三の望ましい実施例のセンサー
５１１１  本考案の第三の望ましい実施例の発射器
５１１１１本考案の第三の望ましい実施例の第一表面
５１１１２本考案の第三の望ましい実施例の第二表面
５１１２  本考案の第三の望ましい実施例の受信器
５１１２１本考案の第三の望ましい実施例の第三表面
５１１２２本考案の第三の望ましい実施例の第四表面
【図１】
0003196589.tif 000003
【図２】
0003196589.tif 000004
【図３】
0003196589.tif 000005
【図４】
0003196589.tif 000006
【図５】
0003196589.tif 000007
【手続補正書】
【提出日】平成27年1月15日(2015.1.15)
【手続補正１】
【補正対象書類名】実用新案登録請求の範囲
【補正対象項目名】全文
【補正方法】変更
【補正の内容】
【実用新案登録請求の範囲】
【請求項１】
センサーを含むタッチパネルであって、
前記センサーは、
第一表面と第二表面を有する発射器と、
第三表面と第四表面を有する受信器と、を含み、
前記センサーが動作する時に、前記発射器から前記受信器との間に複数の電力線を生じ、
前記タッチパネルはタッチ操作側及びタッチ操作側に対する他方の側部を有し、
前記第一ないし第四表面はそれぞれ第一幅、第二幅、第三幅及び第四幅を有し、
前記第二幅は前記第一幅より小さくなり、
前記第四幅は前記第三幅より小さくなり、
前記第一表面と前記第三表面はそれぞれ前記タッチ操作側に近接し、前記第二表面と前記第四表面はそれぞれ前記他方の側部に近接することによって、前記第一表面と前記第三表面に伸びて形成した平面より上にあり、かつ前記タッチ操作側に近接する前記複数の電力線は、前記平面より下にありかつ前記他方の側部に近接する前記複数の電力線より電力線密度が高くなるようにすることを特徴とするタッチパネル。
【請求項２】
前記発射器はさらに第一側面と第二側面を含み、
前記受信器はさらに第三側面と第四側面を含み、
前記第一表面、前記第二表面、前記第一側面及び前記第二側面の第一縦断面と、前記第三表面、前記第四表面、前記第三側面及び前記第四側面の第二縦断面とも梯形となり、かつ前記第二幅と前記第四幅が極小値に近づく場合、前記第一縦断面と前記第二縦断面は三角形と近似していることを特徴とする請求項１に記載のタッチパネル。
【請求項３】
前記発射器はさらに第一側面と第二側面を含み、
前記受信器はさらに第三側面と第四側面を含み、
前記第一ないし第四側面は平面または曲面となり、
前記第一ないし第四側面は、外に突出している円弧面であり、前記第二幅と第四幅が極小値に近づく場合、前記第一表面、前記第二表面、前記第一側面及び前記第二側面の第一縦断面と、前記第三表面、前記第四表面、前記第三側面及び前記第四側面の第二縦断面は半円形となることを特徴とする請求項１に記載のタッチパネル。
【請求項４】
タッチ操作側と前記タッチ操作側に対する他方の側部とを有するスクリーンと、
第一表面と第二表面を有し、複数の電力線を生成する発射器とを含むセンサーと、を含み、
前記第一表面と前記第二表面はそれぞれ第一幅と第二幅を有し、
前記第二幅は前記第一幅より小さくなり、
前記第一表面が前記タッチ操作側に近接し、前記第二表面が前記他方の側部に近接することによって、前記第一表面に伸びて形成した平面より上にあり、かつ前記タッチ操作側に近接する前記複数の電力線は、前記平面より下にありかつ前記他方の側部に近接する前記複数の電力線より電力線密度が高くなるようにすることを特徴とするタッチパネル。
【請求項５】
前記センサーはさらに第三表面と第四表面を有する受信器を含み、
前記第三表面と第四表面はそれぞれ第三幅と第四幅を有し、
前記第四幅が前記第三幅より小さくなることによって、前記受信器が受信する前記複数の電力線は前記第一表面と前記第三表面に延びて形成した平面の上にあり、かつ前記タッチ操作側に面する部分は、前記平面より下にあり、かつ前記他方の側部に面する部分より密度が高くなるようにすることを特徴とする請求項４に記載のタッチパネル。
【請求項６】
スクリーンと、
基板と、
前記スクリーンと前記基板との間に配置され、前記スクリーンに隣接する第一表面及び前記基板に隣接する第二表面を有し、前記第一表面の寸法は前記第二表面の寸法より大きくなる伝送・受信ユニットとを含むことを特徴とするタッチパネル。
【請求項７】
タッチ操作側と前記タッチ操作側に対する他方の側部とを有するスクリーンと、
基板と、
伝送・受信ユニットであって、前記スクリーンと前記基板との間に配置され、前記タッチ操作側に近接する第一表面及び前記他方の側部に近接する第二表面とを有し、
前記第一表面と前記第二表面はそれぞれ第一幅と第二幅を有し、
前記第二幅は前記第一幅より小さくなり、
前記第一表面が前記タッチ操作側に近接し、前記第二表面が前記他方の側部に近接することによって、前記伝送・受信ユニットが生成した電力線は前記第一表面に伸びて形成した平面より上にあり、且つ前記タッチ操作側に近接する複数の電力線は、前記平面より下にありかつ他方の側部に近接する前記複数の電力線より電力線密度が高くなるように構成される、伝送・受信ユニットとを含むことを特徴とするタッチパネル。